(57)【要約】【課題】   電子部品を安定状態に容易に収納でき、かつ搬送時においても電子部品を安定した収納状態にて維持できる電子部品の搬送用トレーを提供する。【解決手段】    電子部品の搬送用トレーであって、端子を備えた電子部品の外観形状に適合し、該電子部品を収納する収納部と、前記電子部品の端子を載置して支持する支持部とを有する搬送用トレー本体と、前記電子部品を前記収納部に収納して支持部に支持された前記電子部品の端子上に、該端子を保持する保持部材が配置されて形成される。【選択図】  図１
2005082178.tif 000002
【特許請求の範囲】
【請求項１】
端子を備えた電子部品の外観形状に適合し、該電子部品を収納する収納部と、前記電子部品の端子を載置して支持する支持部とを有する搬送用トレー本体と、前記電子部品を前記収納部に収納して支持部に支持された前記電子部品の端子上に、該端子を保持する保持部材が配置されてなる電子部品の搬送用トレー。
【請求項２】
前記保持部材が弾性を有し、該弾性をもって前記電子部品の端子を保持する請求項１記載の電子部品の搬送用トレー。
【請求項３】
前記保持部材が電子部品の端子の導出端面の近傍に配置された請求項１又は２に記載の電子部品の搬送用トレー。
【請求項４】
前記搬送用トレー本体に収納された電子部品上には、板材又は搬送用トレー本体が重ねられ、前記板材又は搬送用トレー本体と、電子部品の端子との間に前記保持部材が配置されてなる請求項１乃至３いずれかに記載の電子部品の搬送用トレー。
【請求項５】
前記保持部材は、その厚みが収納された電子部品の端子から、該電子部品の最上部までの厚み以上を有する請求項４に記載の電子部品の搬送用トレー。
【発明の詳細な説明】
【技術分野】
【０００１】
本発明は、電解コンデンサなどの電子部品の搬送に用いられる、電子部品の搬送用トレーに関するものである。
【背景技術】
【０００２】
電子部品は搬送中の振動や互いの接触によって打痕跡等の損傷や破損の防止などの目的から何らかの梱包材に収納されて搬送される。そしてこの搬送時に用いられる梱包材としては、樹脂などからなり、電子部品を横たえて収納する収納部と、電子部品から導出された端子を載置して支持する支持部とを備えた電子部品の搬送用トレーが知られている（特許文献１参照）。
【０００３】
収納される電子部品としては、例えば複数の端子を備えた電解コンデンサがあげられる。この電解コンデンサは陰極及び陽極用の端子と本体部からなり、該端子は電解コンデンサの本体部の同一端面より導出されている。この端子は直線状や一部を折り曲げてＬ字状にするなど、電子基板への配置形態に合わせて加工されている。
【０００４】
【特許文献１】特開２００３−２００９５号公報
【発明の開示】
【発明が解決しようとする課題】
【０００５】
従来の搬送用トレーでは、該搬送用トレーの収納部に収納された電子部品は、搬送中に振動などの外部からの機械的ストレスが加わった場合、電子部品は前記収納部内において回転、横ずれなどが生じ、この際に電子部品の端子が支持部に圧着されて該端子が曲がってしまうなど、電子部品の電気的信頼性を劣化させる可能性があり、さらには搬送用トレーの収納部より電子部品が離脱する可能性があり、搬送時においても安定した収納状態を維持できない可能性があった。
【０００６】
また、従来の搬送用トレーでは、複数の端子を備えた電子部品を収納部に横たえて収納する際に、図５（ｂ）に示すように、複数の端子の一方１７が該端子を支持する支持部１５より離れた状態で電子部品１６が収納された場合であっても、図５（ａ）に示すように、僅かな振動を受けて前記支持部１５に支持された他方の端子１８を支点として収納部１４内で前記電子部品１６を回転移動させて前記複数の端子１７，１８ともに支持部１５に支持されて電子部品１６が安定して収納される。しかしながら、支持部１５から離れた前記電子部品１６の一方の端子１７において、その離れた距離が僅かであれば、上記の通り電子部品１６の安定した収納状態を達成できるが、その距離が長いと僅かな振動では電子部品１６を回転移動させることができず、安定した収納状態を達成することができない。例えば、図５（ｃ）に示すように、電子部品１６の複数の端子の一方１８が前記支持部１５に載置され、前記他方の端子１７が前記支持部１５に載置された一方の端子１８から前記支持部面に対してほぼ直角方向になるように電子部品１６が収納された状態では、搬送用トレー１９の収納部１４内では前記支持部１５に載置された端子１８を支点に電子部品１６が回転移動されづらく、したがって前記電子部品１６の支持部１５に載置された端子１８にのみ機械的ストレスが加わり、該端子１８が曲がったり、電子部品１６の電気的性能を劣化させる可能性があった。
【課題を解決するための手段】
【０００７】
そこで、本発明に関する電子部品の搬送用トレーは、端子を備えた電子部品の外観形状に適合し、該電子部品を収納する収納部と、前記電子部品の端子を載置して支持する支持部とを有する搬送用トレー本体と、前記電子部品を前記収納部に収納して支持部に支持された前記電子部品の端子上に、該端子を保持する保持部材が配置されて形成される。
【０００８】
また、前記保持部材が弾性を有し、該弾性をもって前記電子部品の端子を保持されている。
【０００９】
また、前記保持部材が電子部品の端子の導出端面の近傍に配置されている。
【００１０】
また、前記搬送用トレー本体に収納された電子部品上には、板材又は搬送用トレー本体が重ねられ、前記板材又は搬送用トレー本体と、電子部品の端子との間に前記保持部材が配置されている。
【００１１】
また、前記保持部材は、その厚みが収納された電子部品の端子から、該電子部品の最上部までの厚み以上を有している。
【発明の効果】
【００１２】
本発明によれば、搬送用トレー本体の収納部に収納された電子部品の端子を保持する保持部材が配置されているため、電子部品の端子が該保持部材により確実に保持され、これに伴い電子部品自体も収納保持され、搬送用トレー本体の収納部内で前記電子部品の回転、横ずれなどを確実に防ぐことができ、また、搬送中に振動などの外部からの機械的ストレスが加わった場合でも、該機械的ストレスを保持部材により電子部品の端子に加わるのを低減でき、搬送中においても安定した収納状態を維持できる信頼性のある搬送用トレーを提供できる。また、前記電子部品を、搬送用トレー本体の収納部に収納する際に、該電子部品の複数の端子の一方が、搬送用トレー本体の支持部に載置して支持され、他方の端子が該支持部より離れた場合であっても、前記保持部材を前記電子部品の端子部上に載置することで、該保持部材が該支持部より離れた端子を押圧することで、電子部品を搬送用トレー本体の収納部内で回転移動させ、前記複数の端子ともに支持部に載置して支持されるため、安定した収納状態を実現できる。
【００１３】
また、前記保持部材が弾性を有し、該弾性をもって前記電子部品の端子を保持されているため、搬送中に振動などの外部からの機械的ストレスが加わった場合でも、該機械的ストレスは保持部材の弾性力により吸収され、該機械的ストレスが電子部品の端子に加わることを確実に防止でき、搬送中においても更に安定した収納状態を維持できる信頼性のある搬送用トレーを提供できる。
【００１４】
また、前記保持部材が電子部品の端子の導出端面の近傍に載置されることで、電子部品からの端子の導出付近より保持されるため、電子部品自体の保持が確実となる。
【００１５】
また、前記搬送用トレー本体に収納された電子部品上には、板材又は搬送用トレー本体が重ねられ、前記板材又は搬送用トレー本体と、電子部品の端子との間に前記保持部材が配置されているため、前記保持部材による電子部品の端子の保持は更に確実なものとしている。
【００１６】
また、前記保持部材は、その厚みが収納された電子部品の端子から、該電子部品の最上部までの厚み以上を有するため、前記保持部材が電子部品の端子と板材との間に押圧されて配置され、従って該保持部材と搬送用トレー本体の支持部上に載置されている電子部品の端子は確実に保持される。
【発明を実施するための最良の形態】
【００１７】
以下、本発明の実施の形態を図面に示した実施例を参照して詳細に説明する。
【００１８】
（実施例）
搬送用トレー本体４には、図１に示すように、電子部品として例えば、電解コンデンサ１が収納される。この実施例の場合、陽極及び陰極を持つ有極性電子部品である電解コンデンサ１は、円柱状の本体部２の一方の端面に一対の端子３が引き出され、各端子３は中心軸を挟んで一定の間隔に設定されている。電解コンデンサ１の本体部２は、外装ケースであって、その表面には、熱収縮性合成樹脂チューブなどからなるスリーブが被せられており、その表面には、容量、定格電圧などの規格や製品番号などを表す識別表示が印刷によって形成されている（図示せず）。この実施例では、電解コンデンサ１の端子３を水平に維持することで、識別表示が上側又は下側に表示されることになる。
【００１９】
そして、搬送用トレー本体４は、段ボールからなる一枚の長方形状の板状体上に載置板５と複数の収納板６，７が連接されて順次つづら状に折り重ねられて形成されており、底面側には、電解コンデンサ１の本体部２を載置する載置板５があり、電解コンデンサ１の本体部２の外観形状に適合し、該本体部２を横たえて収納する収納部として、一部を切り欠いて形成された切欠部８を備えた収納板６と、前記収納板６の切欠部８とほぼ同寸法に形成された切欠部９を備えた収納板７とが順次つづら状に折り重ねられて積層されている。この収納板６、７の切欠部８、９は、複数行、複数列に配列されて形成され、この場合横に１０行、縦に２列で配列され、各収納板６、７の切欠部８、９はつづら状に折り重ねられて積層された際に該収納部８，９が互いに一致するような位置に形成されている。この収納部８の近傍には電解コンデンサ１から導出された端子３を載置して支持する平坦面からなる支持部１０がある。また、この搬送用トレー本体４には、その両端面の一部が切り欠かれて手持ち部が形成されている。そしてこの搬送用トレー本体４の各切欠部８、９内に電解コンデンサ１の本体部２が収納され、電解コンデンサ１より導出された端子３は最上部に折り重ねられた収納板６の切欠部８近傍の平坦面からなる支持部１０に載置されて支持される。
【００２０】
なお、前記載置板５及び収納板を構成する板状体の厚みは３ｍｍ程度であり、従って該板状体上に形成する収納板の厚みも３ｍｍ程度であり、収納する電解コンデンサ１の本体部２の外径は１２ｍｍあり、従ってこの実施例では、２枚の収納板６、７をもって収納する電解コンデンサ１の厚み、つまり本体部２の高さ寸法に対応させている。また電解コンデンサ１の本体部２全体を収納するには、板状体上に収納板を４枚連接して形成し折り重ねて積層すればよく、収納する電子部品の寸法に対応して、適宜連接する収納板の枚数を変更することで、寸法の異なる多種の電子部品を収納することができる。なお、端子３を備えた電子部品、例えば実施例の電解コンデンサ１においては、図２に示すように、電解コンデンサ１を収納板の切欠部に収納した際に、該電解コンデンサ１の端子３の導出部の高さ寸法と同等高さに前記収納板を折り重ねて形成すると、前記端子３が収納板の切欠部の近傍の平坦面からなる支持部１０に載置されて支持されるため好ましい。
【００２１】
その後、図２の（ａ）および（ｂ）に示すように、電解コンデンサ１の端子３を保持しかつ外部からの衝撃が加わるのを防ぐため段ボールなどの弾性材料からなる保持部材１１が前記収納板６の支持部１０に載置された電解コンデンサ１の端子３上に載置され、さらに前記電解コンデンサ１及び前記保持部材１１の上に段ボールや合成樹脂からなる板材１２が載置される。この保持部材１１は、横１０行に配列されて収納された電解コンデンサ１の各端子３の上に載置されるように所定厚みを有する長方形からなり、図２の（ａ）に示すように、前記保持部材１１の厚みｔ１は、電解コンデンサ１の端子３から収納した状態での電解コンデンサ１の最上部までの厚みｔ２以上で設定され、図２の（ｂ）に示すように、前記電解コンデンサ１の端子３上に前記保持部材１１を載置してその上に板材１２を載置すると、前記保持部材１１はその弾性力により厚みｔ１からほぼ厚みｔ２まで圧縮され、これにより電解コンデンサ１の端子３は前記支持部１０と前記保持部材１１との間に該保持部材１１の弾性力をもって挟み込まれて確実に保持され、これに伴い電解コンデンサ１自体も確実に収納固定される。また、搬送時などに搬送用トレー本体４に衝撃などの機械的ストレスが加わった場合でも、前記保持部材１１により電解コンデンサ１の端子３は弾性力をもって保持されているため、該端子３に加わる機械的ストレスは低減される。なお、図２の（ｂ）に示すように、前記保持部材１１は、電解コンデンサ１の端子３の導出端面の近傍に配置されると、電解コンデンサ１の端子３の導出付近より保持されるため、電解コンデンサ１自体の保持が確実になるため好ましい。なお、前記保持部材１１の表面に導電層を設け、該導電層を電解コンデンサ１の端子に当接させて導通状態にすることで、前記端子間に生じる残留電荷などからなる再起電圧を容易に放電することもできる。
【００２２】
なお、前記搬送用トレー本体４の切欠部８，９に電解コンデンサ１を収納し、かつ該電解コンデンサ１の端子３を前記切欠部６の近傍の平坦面からなる支持部１０に載置する際には、前述のとおり図５の（ｃ）に示すように、電解コンデンサ１が所望の状態に収納されない場合がある。しかしながら、前記保持部材１１を上方から電解コンデンサ１の端子３上に載置することで、該端子３が前記押圧部材１１により押圧され、これに伴い電解コンデンサ１が前記切欠部８，９内で容易に回転移動するため、安定した電解コンデンサ１の収納状態を実現できる。なお、この場合、図５に示すように、前記保持部材１１を、電解コンデンサ１の端子３に対して斜め方向から押圧することで、前記端子３への機械的ストレスを少なくして電解コンデンサ１を切欠部８，９内で容易に回転移動させることができ好ましい。
【００２３】
このように電解コンデンサ１の本体部２を収納板６，７の切欠部８，９に収納し、電解コンデンサ１の端子３が収納板６の切欠部８の近傍の平坦面からなる支持部１０に載置されて支持され、該端子３上に保持部材１１が載置され、この搬送用トレー本体４の上に板材１２が載置されると電解コンデンサ１が搬送用トレーに安定した収納状態にて収納される。その後、図３に示すように、段ボールなどからなる梱包箱１３に、該搬送用トレー本体４が複数積み重ねられて収納される。図３では複数積み重ねられた搬送用トレーは、そのまま横並びにて前記梱包材１３に収納されるが、前記複数積み重ねられた搬送用トレーを縦並びにして収納することもできる。これは搬送用トレー本体４の支持部１０と板材１２との間に配置された保持部材１１の弾性力をもって、電解コンデンサ１の端子３が保持され、これにより電解コンデンサ１自体も確実に搬送用トレー本体４に収納固定されているためである。なお、搬送用トレーを複数積み重ねて梱包箱１３に収納する際に、実施例では各搬送用トレー本体４には各々板材１２が載置されているが、この板材１２を省略して、上側に重ねられた搬送用トレー本体４の載置板５の下面との間に保持部材１１を挟み込んで配置することもでき、これにより板材１２を省略することができるため、部品数の削減、つまりコストを大幅に削減することができる。なお前記複数積み重ねられた搬送用トレー本体４のうち、最上段に積み重ねられた搬送用トレー本体４には板材１２が配置されることが好ましい。
【図面の簡単な説明】
【００２４】
【図１】本発明の実施例における搬送用トレー及び該搬送用トレーに収納された電解コンデンサ１を示す斜視図である。
【図２】本発明の実施例における搬送用トレー及び該搬送用トレーに収納された電解コンデンサ１を示す断面図である。
【図３】本発明の実施例における搬送用トレー及び該搬送用トレーに収納された電解コンデンサ１を梱包箱への収納収納工程を示す斜視図である。
【図４】本発明の実施例における搬送用トレーに収納される電解コンデンサの収納過程を示す断面図である。
【図５】搬送用トレーに収納される電解コンデンサの収納過程を示す参考断面図である。
【符号の説明】
【００２５】
１  電解コンデンサ
２  本体部
３  端子
４  搬送用トレー本体
５  載置板
６，７  収納板
８，９  切欠部
１０  支持部
１１  保持部材
１２  板材
１３  梱包箱
１４  収納部
１５  支持部
１６  電子部品
１７，１８  端子
１９  搬送用トレー
【図１】
2005082178.tif 000003
【図２】
2005082178.tif 000004
【図３】
2005082178.tif 000005
【図４】
2005082178.tif 000006
【図５】
2005082178.tif 000007